(57)【特許請求の範囲】
【請求項１】
一体型の複合マイクロメカニカル時計部品（１）であって、第１の材料で構成された振り石（３）と、さらに第２の金属材料で構成された電鋳部（５）とを含む第１の機能レベル（Ｎ1）と、振り座を形成する前記電鋳部のみを含む第２の機能レベル（Ｎ2）と、を有し、前記振り石は脱進機構の部材と協働するように構成されており、前記電鋳部は前記振り石に部分的にオーバラップしており、また、前記振り座も前記部材と協働するように構成されており、前記第１の材料は前記第２の金属材料とは異なる、材料である部品。
【請求項２】
前記振り石（３）は、前記電鋳部（５）で覆われていないラグ（７）を有し、前記ラグは、基部（９）に向かって幅が狭くなっており、前記基部から、前記電鋳部（５）で部分的に覆われた少なくとも２つの帯状部（６，８）が略対称に延出している、ことを特徴とする、請求項１に記載の部品（１）。
【請求項３】
前記振り石（３）の前記少なくとも２つの帯状部（６，８）は、それぞれ円弧状に延出していることを特徴とする、請求項２に記載の部品（１）。
【請求項４】
前記第１と第２の機能レベル（Ｎ1，Ｎ2）にわたって、単一孔（１１）が縦断していることを特徴とする、請求項１ないし３のいずれかに記載の部品（１）。
【請求項５】
前記単一孔（１１）は、円形断面を含んでいることを特徴とする、請求項４に記載の部品（１）。
【請求項６】
前記単一孔（１１）の断面は、前記第１と第２の機能レベル（Ｎ1，Ｎ2）のそれぞれにおいて略一定であることを特徴とする、請求項４または５に記載の部品（１）。
【請求項７】
前記単一孔（１１）の断面は、前記第１と第２の機能レベル（Ｎ1，Ｎ2）でそれぞれ異なり、これにより、当該部品（１）は、前記第１と第２の機能レベル（Ｎ1，Ｎ2）の一方の平面のみで調整される、ことを特徴とする、請求項４または５に記載の部品（１）。
【請求項８】
前記単一孔（１１）を取り囲む当該部品（１）の壁（１０）は、前記電鋳部（５）のみによって形成されていることを特徴とする、請求項４ないし７のいずれかに記載の部品（１）。
【請求項９】
前記第１の材料は、ドープまたは非ドープ単結晶シリコン、ドープまたは非ドープ多結晶シリコン、酸化シリコン、石英、シリカ、単結晶コランダム、多結晶コランダム、アルミナ、ルビー、窒化シリコン、または炭化シリコン、で構成されていることを特徴とする、請求項１ないし８のいずれかに記載の部品（１）。
【請求項１０】
前記第１の材料は、酸化シリコン、窒化シリコン、炭化シリコン、または炭素同素体で、少なくとも部分的にコーティングされていることを特徴とする、請求項１ないし９のいずれかに記載の部品（１）。
【請求項１１】
テン真（２９）に取り付けられたテン輪（２５）・テンプばね（２７）アセンブリを有する振動体（２３）を備えた時計アセンブリ（２１）であって、当該時計アセンブリ（２１）は、さらに、請求項１ないし１０のいずれかに記載の一体型の複合マイクロメカニカル部品（１）を有し、それは、前記電鋳部に抗して押し込まれることにより前記テン真に取り付けられて、スイスレバー脱進機構と協働するように構成されている、ことを特徴とする時計アセンブリ（２１）。
【発明の詳細な説明】
【技術分野】
【０００１】
本発明は、一体型の複合時計部品に関し、より具体的には、小ツバ・大ツバ・振り石アセンブリに代わる部品に関するものである。
【背景技術】
【０００２】
スイスレバー脱進機構では、図１に示すような、ダブルローラ・振り石アセンブリを使用することが知られている。このアセンブリは、振り石Ａおよび小ツバ（セーフティローラ）Ｃを保持した大ツバ（ローラテーブル）Ｂを含むものであり、小ツバは、アンクルのケン先と協働する切り欠き部Ｅを有している。振り石Ａは、大ツバＢの下側に固定されており、同アンクルのフォークと協働する。
【発明の概要】
【発明が解決しようとする課題】
【０００３】
ダブルローラ・振り石アセンブリは、かなりの高さを有することに加えて、小ツバＣの切り欠き部Ｅに対して振り石Ａを正確に位置付けることも難しい。
【課題を解決するための手段】
【０００４】
本発明の目的は、ダブルローラ・振り石アセンブリに代わるものとして、よりコンパクトで、摩擦による劣化がなく、より精密な部品を提案することにより、上記欠点の一部またはすべてを解消することである。
【０００５】
そこで、本発明は、一体型の複合マイクロメカニカル時計部品に関し、これは、第１の材料で構成された振り石と、さらに第２の金属材料で構成された電鋳部とを含む第１の機能レベルと、振り座（ローラ）を形成する上記電鋳部のみを含む第２の機能レベルと、を有し、振り石は部材と協働するように構成されており、電鋳部は振り石に部分的にオーバラップしており、また、振り座も同部材と協働するように構成されており、第１の材料は第２の金属材料とは異なる。
【０００６】
このように、本発明によれば、効果的に、振り石の主としてトライボロジ的な機能を、電鋳部の主な取付け機能から切り離すことが、その独自の機能に完全に適合した材料を選択することによって可能となる。また、ダブルローラ・振り石アセンブリと比較して、本発明による部品は、より良好な位置決めを機能レベル間で確保しつつ、はるかにコンパクトで、取付けまたは振り石のトライボロジの質の低下がないことは、容易に理解できるところである。
【０００７】
本発明の他の効果的な特徴によれば、
−  振り石は、電鋳部で覆われていないラグを有し、ラグは、基部に向かって幅が狭くなっており、その基部から、電鋳部で部分的に覆われた少なくとも２つの帯状部が略対称に延出している。
−  振り石の上記少なくとも２つの帯状部は、それぞれ円弧状に延出している。
−  第１と第２の機能レベルにわたって、単一孔が縦断している。
−  単一孔は、円形断面を含んでいる。
−  単一孔の断面は、第１と第２の機能レベルのそれぞれにおいて略一定であるか、または第１と第２の機能レベルでそれぞれ異なり、これにより、当該部品は、第１と第２の機能レベルの両方の平面で、または一方の平面のみで、調整される。
−  単一孔を取り囲む当該部品の壁は、電鋳部のみによって形成されている。
−  第１の材料は、ドープまたは非ドープ単結晶シリコン、ドープまたは非ドープ多結晶シリコン、酸化シリコン、石英、シリカ、単結晶コランダム、多結晶コランダム、アルミナ、ルビー、窒化シリコン、炭化シリコン、で構成されている。
−  第１の材料は、酸化シリコン、窒化シリコン、炭化シリコン、または炭素同素体で、少なくとも部分的にコーティングされている。
【０００８】
最後に、本発明は、テン真に取り付けられたテンプ振動体アセンブリを備えた時計アセンブリに関し、該アセンブリは、さらに、前述した種々の実施形態のいずれかによる一体型の複合マイクロメカニカル部品を有し、それは、電鋳部に抗して押し込まれることによりテン真に取り付けられて、脱進機構と協働するように構成されている、ことを特徴とする。
【０００９】
その他の特徴および効果は、限定するものではない例として、添付の図面を参照して提示される以下の説明から、明らかになるであろう。
【図面の簡単な説明】
【００１０】
【図１】図１は、通常のダブルローラ・振り石アセンブリの斜視図である。
【図２】図２は、本発明による一体型の複合部品の斜視図である。
【図３】図３は、本発明による時計アセンブリの断面図である。
【発明を実施するための形態】
【００１１】
本発明は、一体型の複合マイクロメカニカル時計部品１に関し、すなわち、それは、相互に固定された、いくつかの異なる材料、具体的には性質が異なる材料を含むものである。図２に示すように、部品１は、好ましくは、少なくとも２つの異なる機能レベルＮ1、Ｎ2を含んでいる。
【００１２】
この場合、第１の機能レベルＮ1は、第１の材料で構成された振り石３を含み、これは、アンクルのフォークなどの部材と協働するように構成されている。第１の機能レベルＮ1は、さらに、第２の金属材料で構成された電鋳部５を含む。電鋳部５は、電鋳プロセスにおいて振り石３の上に電鋳されるので、一体に形成されることは直に明らかである。結果的に、電鋳部５は、振り石３に部分的にオーバラップする。
【００１３】
図２に示すように、部品１は、振り座を形成する電鋳部５のみを含む第２の機能レベルＮ2を含んでおり、振り座も、アンクルのケン先などの同じ部材と協働するように構成されている。これにより形成される部品は、図１に示すダブルローラ・振り石アセンブリよりも、はるかにコンパクトであることは、直に明らかである。また、電鋳部５は、電鋳プロセスにおいて振り石３の上に電鋳されるので、各レベルＮ1、Ｎ2間の位置決めは、本質的に非常に正確である。
【００１４】
好ましくは、振り石３は、電鋳部５で覆われていないラグ７を有する。図２に示すように、ラグ７の自由端は、基部９に向かって幅が狭くなっており、その基部から、電鋳部５で部分的に覆われた少なくとも２つの帯状部６、８が略対称に延出している。
【００１５】
当然のことながら、これに代えて、基部９および／または帯状部６、８は、全体が電鋳部５で覆われることができる。実際には、図２において振り石３がよく見えるように、その上部は電鋳部５で覆われていない。
【００１６】
図２で分かるように、振り石３の上記少なくとも２つの帯状部６、８は、それぞれ円弧状に延出しているが、第２の金属材料に対して第１の材料のある程度の弾性が確保されるように、少なくとも２つの帯状部は接していない。
【００１７】
本発明によれば、好ましくは、第１と第２の機能レベルＮ1、Ｎ2には、例えば、軸（真）またはピンを嵌入させることを可能とするように、単一孔１１が縦断している。図２に示す例では、単一孔１１は、円形断面を含んでいる。しかし、当然のことながら、クローバー葉形、多角形、または楕円形など、他の断面形状も想定することができる。
【００１８】
また、第１の代替形態によれば、単一孔１１の断面は、第１と第２の機能レベルＮ1、Ｎ2のそれぞれにおいて略一定であり、これにより、第１と第２の機能レベルＮ1、Ｎ2の両方の平面において部品１は調整される。
【００１９】
一方、第２の代替形態によれば、単一孔１１の断面は、第１と第２の機能レベルＮ1、Ｎ2のそれぞれで異なり、これにより、好ましくは、第１と第２の機能レベルＮ1、Ｎ2の一方の平面において部品１は調整される。
【００２０】
最後に、例えば、軸またはピンに抗して部品１が押し込まれることを可能とするため、単一孔１１を取り囲む当該部品１の壁１０は、電鋳部５のみによって形成されている。この場合、例えば、軸またはピンに対して一体型部品１を固定するように、電鋳部５が塑性変形することは明らかである。また、壁１０の変形に従うために、さらに、振り石３の上記少なくとも２つの帯状部６、８により十分な弾性が確保される能力も利用される。
【００２１】
このように、本発明によれば、効果的に、振り石３の主としてトライボロジ的な機能を、電鋳部５の主な取付け機能から切り離すことが可能である。また、電鋳部５が第２のレベルＮ2に２つの切り欠き部１３、１５を形成していることも分かり、切り欠き部１３は、通常のダブルローラ・振り石アセンブリの切り欠き部Ｅと同じ機能を、すなわち、例えばアンクルのケン先と協働する機能を、有し得る。
【００２２】
この場合、振り石３の第１の材料は、ドープまたは非ドープ単結晶シリコン、ドープまたは非ドープ多結晶シリコン、酸化シリコン、石英、シリカ、単結晶コランダム、多結晶コランダム、アルミナ、ルビー、窒化シリコン、または炭化シリコン、で構成することができる。第１の材料は、さらに、そのトライボロジを向上するため、特にラグ７において、酸化シリコン、窒化シリコン、炭化シリコン、または炭素同素体で、少なくとも部分的にコーティングすることができる。最後に、金属材料で構成される電鋳部５は、例として、ニッケル、ニッケル−コバルト合金、またはニッケル−リン合金を含むことができる。
【００２３】
図３に示すように、本発明は、さらに、テン真２９に取り付けられたテン輪２５・テンプばね２７アセンブリを有する振動体２３を備えた時計アセンブリ２１に関する。アセンブリ２１は、さらに、本発明による一体型の複合マイクロメカニカル部品１を有し、これは、例えばスイスレバー脱進機構と協働するために、テン真２９に取り付けられている。
【００２４】
当然のことながら、本発明は、図示の例に限定されるものではなく、当業者が想到するであろう種々の変形および変更が可能である。具体的には、部品１は、２つより多くの機能レベルＮ1、Ｎ2を含むものであってもよい。
【００２５】
また、孔１１が開いていること、すなわち、例えば切り欠き部１５の方向にスロットを有することも想定でき、これにより、部品１を、軸またはピンに弾性的に取り付けることができる。
【図１】
0005947415.tif 000002
【図２】
0005947415.tif 000003
【図３】
0005947415.tif 000004